(57)【要約】【課題】  歌まね採点を行うために、カラオケ楽曲毎に歌まね採点専用のリファレンスデータを作成する必要をなくして、データ作成の労力を軽減すると共に、データ作成の費用を低減する。【解決手段】  カラオケ楽曲毎に歌唱基準リファレンスデータを記憶する歌唱基準リファレンスデータ記憶手段（例えばＨＤＤ２４）と、アーティスト毎にその歌唱特徴、発現位置及び発現区間を含んだ歌まねリファレンスデータを記憶する歌まねリファレンスデータ記憶手段（例えばＨＤＤ２４）と、利用者が任意のカラオケ楽曲を歌唱した際に、マイクロホンより入力された当該利用者の音声信号から抽出した歌唱評価データと、当該カラオケ楽曲の歌唱基準リファレンスデータと、当該カラオケ楽曲の原アーティストに対応した歌まねリファレンスデータとに基づいて、歌まねの巧拙を採点する歌唱採点手段３０とを備える。【選択図】図１
2013231881.tif 000002
【特許請求の範囲】
【請求項１】
歌唱採点手段を有し、各カラオケ楽曲の原アーティストの歌まねに対する巧拙を前記歌唱採点手段における採点結果に反映することが可能なカラオケ採点システムであって、歌唱基準リファレンスデータ記憶手段と、歌まねリファレンスデータ記憶手段とを備え、
前記歌唱基準リファレンスデータ記憶手段は、カラオケ楽曲毎に、その歌唱基準である歌唱基準リファレンスデータを記憶し、
前記歌まねリファレンスデータ記憶手段は、原アーティスト毎に、その歌唱特徴、発現位置及び発現区間を含んだ歌まねリファレンスデータを記憶し、
前記歌唱採点手段は、利用者が任意のカラオケ楽曲を歌唱した際に、マイクロホンより入力された当該利用者の音声信号から抽出した歌唱評価データと、当該カラオケ楽曲の前記歌唱基準リファレンスデータと、当該カラオケ楽曲の原アーティストに対応した前記歌まねリファレンスデータとに基づいて、歌まねの巧拙を採点する、
ことを特徴とするカラオケ採点システム。
【請求項２】
採点結果表示制御手段をさらに備え、
前記採点結果表示制御手段は、少なくとも前記歌まねリファレンスデータに含まれる歌唱特徴の発現位置及び発現区間が終了後に前記採点結果を表示する、
ことを特徴とする請求項１に記載のカラオケ採点システム。
【発明の詳細な説明】
【技術分野】
【０００１】
本発明は、利用者による歌唱の巧拙を採点するためのカラオケ採点システムに関するものであり、特に、原アーティストの歌まねを行った際に、その巧拙を採点することが可能なシステムに関するものである。
【背景技術】
【０００２】
現在普及しているカラオケシステムは、歌唱の巧拙を採点するための歌唱採点機能を備えているのが一般的である。この歌唱採点機能は、マイクロホンより入力された歌唱者の音声信号から抽出した音程、声量、テンポ等の歌唱評価データと、演奏楽曲の主旋律等のリファレンスデータとを比較して採点を行うようになっている。
【０００３】
また、このような一般的な歌唱採点の他に、歌唱者が各カラオケ楽曲について原アーティストの歌まねを行った際に、その巧拙を採点する技術も存在する（例えば、特許文献１、特許文献２参照）。
【０００４】
特許文献１に記載された技術は、カラオケ楽曲をただ単に機械的に歌った場合よりも、原アーティストの歌唱あるいはそれに近い表情豊かな歌唱に対して高得点を付けることが可能な採点機能を有するカラオケ装置に関するものである。このカラオケ装置は、利用者がカラオケ楽曲を歌唱する際に、原アーティストの歌唱に基づく歌唱データと利用者の歌声データとを比較して、利用者の歌唱を評価する構成となっている。
【０００５】
特許文献２に記載された技術は、歌唱者の歌唱音声が原アーティストにどれだけ近いかを反映して採点するカラオケ装置に関するものである。このカラオケ装置は、歌唱者のフレームエネルギー及び原アーティストのフレームエネルギーを検出して、歌唱採点を行う構成となっている。すなわち、特許文献２に記載された技術は、両フレームエネルギーは量子化して比較され、当該比較に基づいて点数を算出して表示する。
【先行技術文献】
【特許文献】
【０００６】
【特許文献１】特開平１０−１４９１８４号公報
【特許文献２】特開平９−１６１８９号公報
【発明の概要】
【発明が解決しようとする課題】
【０００７】
上述したように、カラオケ楽曲を歌唱する際に各カラオケ楽曲の原アーティストの歌まねを行うことが多々あり、歌まねを行った場合に、その巧拙を採点するための技術が存在する。
【０００８】
しかしながら、上述した歌まね採点技術は、カラオケ楽曲毎に、原アーティストの歌唱特徴に関するリファレンスデータを作成し、このカラオケ楽曲毎のリファレンスデータと、歌唱者の歌唱音声信号から得られる歌唱データとを比較することにより、歌まねの巧拙を採点している。すなわち、歌まね採点を行うためには、カラオケ楽曲毎に歌まね採点用のリファレンスデータを作成しなければならない。
【０００９】
リファレンスデータは、各カラオケ楽曲の音程、声量、テンポ等を基準に作成するデータであり、通常の歌唱採点用のリファレンスデータと、歌まね採点用のリファレンスデータを作成するには、多大な労力を要すると共に、作成費用が嵩むことになる。
【００１０】
本発明は、上述した事情に鑑み提案されたもので、歌まね採点を行うために、カラオケ楽曲毎に歌まね採点専用のリファレンスデータを作成する必要をなくすことにより、リファレンスデータ作成の労力を軽減すると共に、リファレンスデータ作成の費用を低減することが可能なカラオケ採点システムを提供することを目的とする。
【課題を解決するための手段】
【００１１】
本発明のカラオケ採点システムは、上述した目的を達成するため、以下の特徴点を有している。すなわち、本発明のカラオケ採点システムは、各カラオケ楽曲の原アーティストの歌まねに対する巧拙を歌唱採点手段における採点結果に反映することが可能なカラオケ採点システムであって、歌唱基準リファレンスデータ記憶手段と、歌まねリファレンスデータ記憶手段とを備えたことを特徴とするものである。
【００１２】
歌唱基準リファレンスデータ記憶手段は、カラオケ楽曲毎に、その歌唱基準である歌唱基準リファレンスデータを記憶するための手段である。歌まねリファレンスデータ記憶手段は、原アーティスト毎に、その歌唱特徴、発現位置及び発現区間を含んだ歌まねリファレンスデータを記憶するための手段である。歌唱採点手段は、利用者が任意のカラオケ楽曲を歌唱した際に、マイクロホンより入力された当該利用者の音声信号から抽出した歌唱評価データと、当該カラオケ楽曲の歌唱基準リファレンスデータと、当該カラオケ楽曲の原アーティストに対応した歌まねリファレンスデータとに基づいて、歌まねの巧拙を採点するための手段である。
【００１３】
また、上述した構成に加えて、少なくとも歌まねリファレンスデータに含まれる歌唱特徴の発現位置及び発現区間が終了後に採点結果を表示するための採点結果表示制御手段を備えることが可能である。
【００１４】
このような構成からなるカラオケ採点システムでは、カラオケ楽曲毎に、音程、声量、テンポ等について、歌唱基準であるリファレンスデータを作成して、歌唱基準リファレンスデータ記憶手段の機能により記憶しておく。また、原アーティスト毎に、その歌唱特徴、発現位置及び発現区間を含んだ歌まねリファレンスデータを作成して、歌まねリファレンスデータ記憶手段の機能により記憶しておく。歌まねリファレンスデータは、原アーティストの歌唱について、例えば、ビブラートの傾向、シャープの傾向、フラットの傾向、タメ、走り、フォール等のように、基準音符データとの関係を記述することにより構成される。
【００１５】
そして、利用者が歌まね採点のための指示操作を行ってカラオケ楽曲を歌唱すると、歌唱採点手段の機能により、当該利用者の音声信号から抽出した歌唱評価データと、当該カラオケ楽曲の歌唱基準リファレンスデータと、当該カラオケ楽曲の原アーティストに対応した歌まねリファレンスデータとに基づいて、歌まねの巧拙を採点する。また、採点結果表示制御手段の機能により、歌まねリファレンスデータに含まれる歌唱特徴の発現位置及び発現区間が終了後に、歌まねの採点結果を表示することができる。
【発明の効果】
【００１６】
本発明の歌唱採点システムによれば、カラオケ楽曲毎に、通常の歌唱採点に使用するための歌唱基準リファレンスデータを作成して記憶し、さらに、原アーティスト毎に、その歌唱特徴、発現位置及び発現区間を含んだ歌まね採点用リファレンスデータを作成して記憶する。そして、歌まね採点を行う際に、各カラオケ楽曲の歌唱基準リファレンスデータに対して、当該カラオケ楽曲の原アーティストの歌まね採点用リファレンスデータにおける歌唱特徴、発現位置及び発現区間の採点基準を反映させて、歌まね採点値を算出する。
【００１７】
このため、歌まねの採点を行うために、原アーティスト毎にそれぞれ１つの歌まね採点用のリファレンスデータを作成すればよく、カラオケ楽曲毎に歌まね採点用のリファレンスデータを作成する必要がない。したがって、歌まね採点を行うシステムを構築するための労力を軽減することができると共に、データ作成のための費用を低減することが可能となる。
【図面の簡単な説明】
【００１８】
【図１】本発明のカラオケ採点システムを適用したカラオケ演奏装置の構成を示すブロック図。
【図２】本発明のカラオケ採点システムにおける歌唱基準リファレンスデータの一例を示す説明図。
【図３】本発明のカラオケ採点システムにおける歌まねリファレンスデータの一例を示す説明図。
【図４】本発明のカラオケ採点システムにおいて歌唱基準リファレンスに歌まねリファレンスを適用した一例を示す説明図。
【図５】本発明のカラオケ採点システムにおける採点結果表示例を示す模式図。
【発明を実施するための形態】
【００１９】
以下、図面を参照して、本発明のカラオケ採点システムの実施形態について説明する。図１〜図５は本発明の実施形態に係るカラオケ採点システムを示すもので、図１はカラオケ採点システムを適用したカラオケ演奏装置の構成を示すブロック図、図２は歌唱基準リファレンスデータの一例を示す説明図、図３は歌まねリファレンスデータの一例を示す説明図、図４は歌唱基準リファレンスに歌まねリファレンスを適用した一例を示す説明図、図５は採点結果表示例を示す模式図である。
【００２０】
＜カラオケ採点システムの概要＞
本発明の実施形態に係るカラオケ採点システムは、各カラオケ楽曲の原アーティストの歌まねに対する巧拙を歌唱採点手段における採点結果に反映することが可能なシステムであって、歌唱基準リファレンスデータ記憶手段と、歌まねリファレンスデータ記憶手段とを備えている。また、これらの手段の他に、採点結果表示制御手段を備えることが可能である。このカラオケ採点システムは、カラオケ演奏装置に組み込まれることにより、通常の歌唱採点だけではなく、原アーティストの歌まね歌唱に対する採点を行うことができる。なお、以下に説明する実施形態では、歌唱基準リファレンスデータ記憶手段及び歌まねリファレンスデータ記憶手段はＨＤＤにより構成し、歌唱採点手段及び採点結果表示制御手段はカラオケ本体の機能手段として構成している。
【００２１】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２２】
＜カラオケ演奏装置＞
本発明の実施形態に係るカラオケ採点システムを適用するカラオケ演奏装置１０は、図１に示すように、カラオケ本体１１、カラオケリモコン装置１２、スピーカ１３、マイクロホン１４、表示装置１５、ミキシングアンプ１６を備えている。
【００２３】
＜カラオケリモコン装置＞
カラオケリモコン装置１２は、図１に示すように、カラオケ本体１１の送受信手段２５との間で有線方式又は無線方式によりデータの送受信を行うようになっている。このカラオケリモコン装置１２は、楽曲検索手段１２ａとして機能するプログラム、楽曲索引データベース１２ｂ、ユーザインタフェース機能を有する入出力表示部１２ｃ、カラオケ本体１１との間でデータの送受信を行うためのプログラム及び電子機器（図示せず）を備えている。このカラオケリモコン装置１２に付帯するスイッチ類や、入出力表示部１２ｃに表示される各種のアイコン等を操作することにより、選曲操作等が行われる。
【００２４】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段１２ａにより楽曲検索を行うと、例えば、カラオケリモコン装置１２の入出力表示部１２ｃに、検索結果が一覧表示される。
【００２５】
＜入出力表示部＞
入出力表示部１２ｃは、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、ログイン認証等、種々の操作を行うことができる。
【００２６】
＜マイクロホン＞
マイクロホン１４は、歌唱音声の入力を行うための装置である。マイクロホン１４から入力された歌唱音声信号は、ミキシングアンプ１６により、音楽再生制御手段２７から送出される演奏音声信号とミキシングされると共に増幅され、スピーカ１３へ出力される。また、マイクロホン１４からの音声入力信号は、Ａ／Ｄコンバータ２８によりデジタル変換され、歌唱採点手段３０における採点等に使用される。
【００２７】
＜表示装置＞
表示装置１５は、カラオケ楽曲に関連した背景映像や歌詞テロップ等を表示するための装置で、例えば、液晶ディスプレイ等により構成される。本実施形態では、表示装置１５の表示画面に、歌唱採点結果を表示するようになっている。
【００２８】
＜カラオケ本体＞
カラオケ本体１１は、中央制御手段２１、ＲＯＭ２２、ＲＡＭ２３、ＨＤＤ２４、送受信手段２５、予約管理手段２６、音楽再生制御手段２７、Ａ／Ｄコンバータ２８、映像再生制御手段２９、歌唱採点手段３０を備えている。さらに、本実施形態では、採点結果表示制御手段３１を備えることが可能である。
【００２９】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００３０】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。なお、物理的な半導体メモリによりＲＡＭ２３を構成するのではなく、ハードディスク記憶装置等を用いて仮想的なＲＡＭ２３を構成してもよい。本実施形態では、ＲＡＭ２３に、予約待ち行列２３ａが記憶されるようになっている。なお、予約待ち行列２３ａは、選曲予約されたカラオケ楽曲について、演奏順に楽曲ＩＤを並べて構成されたデータテーブルであり、選曲者の利用者ＩＤ等の識別データが紐付けられている場合もある。
【００３１】
＜ＨＤＤ＞
ＨＤＤ２４は、大容量記憶装置として機能する装置で、本実施形態では、歌唱基準リファレンスデータ記憶手段及び歌まねリファレンスデータ記憶手段としての機能を有している。ＨＤＤ２４には、楽曲データベース２４ａ、映像データベース２４ｂ、歌唱基準リファレンスデータベース２４ｃ、歌まねリファレンスデータベース２４ｄが格納されている。なお、ＨＤＤ２４に替えて、あるいはＨＤＤ２４と共に、データを書き替え可能なＤＶＤ等の大容量記憶装置を用いてもよい。
【００３２】
＜楽曲データベース／映像データベース＞
楽曲データベース２４ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータである。
【００３３】
＜歌唱基準リファレンスデータベース＞
歌唱基準リファレンスデータベース２４ｃは、歌唱採点手段３０において通常採点に用いるデータからなるデータベースであり、カラオケ楽曲毎に、演奏の進行に応じた時系列的な歌唱基準リファレンスデータが作成されている。各カラオケ楽曲の歌唱基準リファレンスデータは、例えば、図２に示すように、音高及び音量を時系列的に表現したデータからなる。
【００３４】
＜歌まねリファレンスデータベース＞
歌まねリファレンスデータベース２４ｄは、歌唱採点手段３０において歌まね採点に用いるデータベースであり、原アーティスト毎に、その歌唱特徴、発現位置及び発現区間を含んだリファレンスデータにより構成される。各原アーティストの歌まねリファレンスデータは、例えば、図３に示すように、ビブラートタイプ（上昇型［Ｉ］、下降型［II］、ペナント型［III］）、シャープ傾向（基準音高に対してシャープする傾向［弱］［強］）、フラット傾向（基準音高に対してフラットする傾向［弱］［強］）、基準伴奏に対する発音位置のずれ（伴奏に対して歌唱が遅い場合のタメ、伴奏に対して歌唱が早い場合の走り）、フォール（特定の歌唱位置及び区間で、発声の終わりの部分の音程を下げる）等の歌唱特徴について、その発現位置及び発現区間を示したデータである。
【００３５】
なお、歌まねリファレンスデータに記憶する歌唱特徴は、図３に例示したものに限られず、シャクリ、ファルセット、コブシ、声質（ブレッシー、ハスキー、クリア等）のように、他の歌唱特徴であってもよい。
【００３６】
＜送受信手段＞
送受信手段２５は、カラオケ本体１１とカラオケリモコン装置１２との間で、データの送受信を行うための電子回路及びプログラムからなる。本実施形態では、赤外線通信により、カラオケ本体１１とカラオケリモコン装置１２との間でデータの送受信が行われる。
【００３７】
＜予約管理手段＞
予約管理手段２６は、利用者により楽曲検索手段１２ａの機能を用いて選曲された楽曲ＩＤを演奏順に並べて予約待ち行列２３ａを生成し、この予約待ち行列２３ａをＲＡＭ２３に格納して管理するためのプログラムからなる。
【００３８】
＜音楽再生制御手段＞
音楽再生制御手段２７は、楽曲ＩＤに基づいて楽曲データベース２４ａから抽出された演奏制御データに基づいて、音源データをデジタル再生すると共にアナログ変換してミキシングアンプ１６に出力するための電子回路である。上述したように、ミキシングアンプ１６は、マイクロホン１４から入力された歌唱者の歌唱音声信号と、音楽再生制御手段２７から送出される演奏音声信号とをミキシングすると共に、アンプ機能により増幅してスピーカ１３より出力させるための装置である。
【００３９】
＜映像再生制御手段＞
映像再生制御手段２９は、カラオケ楽曲の演奏中に、映像データベース２４ｂから抽出した背景映像データと、楽曲データベース２４ａに含まれる歌詞描出データ（テロップデータ）とを、当該カラオケ楽曲の演奏データに同期させて表示装置１５に出力するためのプログラムからなる。
【００４０】
＜歌唱採点手段＞
歌唱採点手段３０は、利用者が任意のカラオケ楽曲を歌唱した際に、マイクロホン１４より入力された当該利用者の音声信号から抽出した歌唱評価データと、当該カラオケ楽曲の歌唱基準リファレンスデータ２４ｃと、当該カラオケ楽曲の原アーティストに対応した歌まねリファレンスデータ２４ｄとに基づいて、歌まねの巧拙を採点するためのプログラムからなる。
【００４１】
具体的には、歌唱採点手段３０では、図４に示すように、ＨＤＤ２４から読み出された、演奏楽曲の原アーティストに対応した歌まねリファレンスデータに含まれている「ビブラートタイプ」などの歌唱特徴と、これに関連付けられている「フレーズの最後」などの発現位置、及び「２拍」などの発現区間について、読み出された発現位置に該当する歌唱基準リファレンスデータ上のすべての位置にて、読み出された発現区間の間、マイクロホン１４より入力される音声信号から抽出した歌唱評価データが、読み出された歌唱特徴と同じ歌唱特徴であるか否かを判断し、その結果に基づいて採点を行う。
【００４２】
なお、歌唱採点手段３０において、歌まね採点ではなく、通常採点のみを行う場合には、利用者が任意のカラオケ楽曲を歌唱した際に、マイクロホン１４より入力された当該利用者の音声信号から抽出した歌唱評価データと、当該カラオケ楽曲の歌唱基準リファレンスデータ２４ｃとに基づいて、歌唱の巧拙を所定の歌唱区間毎に採点する。
【００４３】
＜採点結果表示制御手段＞
採点結果表示制御手段３１は、少なくとも歌まねリファレンスデータ２４ｄに含まれる歌唱特徴の発現位置及び発現区間が終了後に、歌唱採点手段３０における採点結果を表示するためのプログラムからなる。なお、歌まねの採点結果は、図５示すように、表示装置１５の表示画面等に表示される。
【００４４】
また、歌まねの採点結果をいつ表示するかは適宜変更して実施することができ、歌まねリファレンスデータ２４ｄに含まれる発現位置及び発現区間が終了後であれば、歌唱途中の適宜な時期であってもよいし、全歌唱区間の終了後であってもよい。特に、歌唱途中の適宜な時期に採点結果を表示することにより、歌唱者は、当該歌唱特徴の発現位置及び発現区間における採点結果がわかるので、歌まね練習を効果的に行うことができる。
【００４５】
＜他の実施形態＞
本発明の歌唱採点システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置１０を単体で動作させるのではなく、ホスト装置にネットワーク接続したカラオケ演奏装置１０として動作させてもよい。
【符号の説明】
【００４６】
１０  カラオケ演奏装置
１１  カラオケ本体
１２  カラオケリモコン装置
１２ａ  楽曲検索手段
１２ｂ  楽曲索引データベース
１２ｃ  入出力表示部
１３  スピーカ
１４  マイクロホン
１５  表示装置
１６  ミキシングアンプ
２１    中央制御手段
２２  ＲＯＭ
２３  ＲＡＭ
２３ａ  予約待ち行列
２４  ＨＤＤ
２４ａ  楽曲データベース
２４ｂ  映像データベース
２４ｃ  歌唱基準リファレンスデータベース
２４ｄ  歌まねリファレンスデータベース
２５  送受信手段
２６  予約管理手段
２７  音楽再生制御手段
２８  Ａ／Ｄコンバータ
２９  映像再生制御手段
３０  歌唱採点手段
３１  採点結果表示制御手段
【図１】
2013231881.tif 000003
【図２】
2013231881.tif 000004
【図３】
2013231881.tif 000005
【図４】
2013231881.tif 000006
【図５】
2013231881.tif 000007